(57)【要約】【課題】他人と簡単にデータのやり取りを行う。【解決手段】電子機器を非接触で充電する充電装置であって、充電位置に配置された電子機器に非接触で電力を供給する複数の電力供給部と、複数の電力供給部のそれぞれと対応する電子機器との間に形成される電力伝送経路を介して、充電位置に配置された複数の電子機器のそれぞれと通信する通信制御部と、を備え、通信制御部は、充電位置に配置された一の電子機器から他の電子機器へとデータを転送する充電装置を提供する。【選択図】図２
2013055811.tif 000002
【特許請求の範囲】
【請求項１】
電子機器を非接触で充電する充電装置であって、
充電位置に配置された電子機器に非接触で電力を供給する複数の電力供給部と、
前記複数の電力供給部のそれぞれと対応する電子機器との間に形成される電力伝送経路を介して、前記充電位置に配置された複数の電子機器のそれぞれと通信する通信制御部と、
を備え、
前記通信制御部は、充電位置に配置された一の電子機器から他の電子機器へとデータを転送する
充電装置。
【請求項２】
送信側の電子機器は、他の電子機器へ送信するデータが予め設定されており、
前記通信制御部は、前記送信側の電子機器において予め設定されているデータを、前記送信側の電子機器から受信側の電子機器へと転送する
請求項１に記載の充電装置。
【請求項３】
受信側の電子機器は、受信するデータの種類が予め設定されており、
前記通信制御部は、前記受信側の電子機器において予め設定されている種類のデータを送信側の電子機器から前記受信側の電子機器へと転送する
請求項１または２に記載の充電装置。
【請求項４】
前記通信制御部は、前記送信側の電子機器において予め設定されているデータと前記受信側の電子機器が既に受信しているデータとを照合して、前記受信側の電子機器が未だ受信していないデータを前記送信側の電子機器から前記受信側の電子機器へと転送する
請求項２または３の記載の充電装置。
【請求項５】
バッファメモリを更に備え、
前記通信制御部は、
前記送信側の電子機器からデータを受信して前記バッファメモリに記憶させ、
前記バッファメモリに記憶された前記データを読み出して前記受信側の電子機器に送信する
請求項２から４の何れか１項に記載の充電装置。
【請求項６】
前記通信制御部は、前記バッファメモリに記憶された前記データを、前記受信側の電子機器に送信した後に消去する
請求項５に記載の充電装置。
【請求項７】
前記通信制御部は、前記バッファメモリに記憶された前記データを読み出して、複数の前記受信側の電子機器に送信する
請求項５に記載の充電装置。
【請求項８】
前記通信制御部は、前記送信側の電子機器が充電位置から取り外されたことに応じて、前記バッファメモリに記憶された対応するデータを消去する
請求項６または７に記載の充電装置。
【請求項９】
前記通信制御部は、前記送信側の電子機器が充電位置から取り外されてから予め定められた時間を経過した後、前記バッファメモリに記憶された対応するデータを消去する
請求項８に記載の充電装置。
【請求項１０】
前記通信制御部は、送信するデータが設定された複数の電子機器を１つずつ順次に前記送信側の電子機器として選択し、選択した前記送信側の電子機器から前記受信側の電子機器へとデータを転送する
請求項２から９の何れか１項に記載の充電装置。
【請求項１１】
前記通信制御部は、充電位置に配置された時刻順に１ずつ前記送信側の電子機器を選択する
請求項１０に記載の充電装置。
【請求項１２】
前記通信制御部は、充電完了までの時間が短い順に１ずつ前記送信側の電子機器を選択する
請求項１０に記載の充電装置。
【請求項１３】
当該充電装置は、複数の充電位置のそれぞれに優先順位が予め設定されており、
前記通信制御部は、優先順位がより高い充電位置に配置された電子機器から順に１ずつ前記送信側の電子機器を選択する
請求項１０に記載の充電装置。
【請求項１４】
前記通信制御部は、外部からのデータ転送をするか否かの設定に応じて前記一の電子機器から前記他の電子機器へとデータを転送する
請求項１から１３の何れか１項に記載の充電装置。
【請求項１５】
前記通信制御部は、外部から付加情報を受け取って予め記憶し、前記一の電子機器から送信されるデータに前記付加情報を追加して前記他の電子機器へと転送する
請求項１から１４の何れか１項に記載の充電装置。
【請求項１６】
当該充電装置は、複数の充電位置のそれぞれに対応して複数の発光部を更に備え、
前記通信制御部は、
前記複数の発光部のうちデータを送信している電子機器に対応する発光部を第１種類の発光方法で発光させ、
前記複数の発光部のうち送信するデータが設定された電子機器であってまだデータを送信していない電子機器に対応する発光部を前記第１種類の発光方法とは異なる第２種類の発光方法で発光させる
請求項１から１５の何れか１項に記載の充電装置。
【請求項１７】
当該充電装置は、外部のコンピュータと接続され、
前記通信制御部は、
前記コンピュータと、充電位置に配置された複数の電子機器のそれぞれとの間の通信を制御し、
新たな電子機器が充電位置に配置された場合において、前記新たな電子機器と前記コンピュータとの間の通信、および、前記新たな電子機器と他の電子機器との間のデータ転送を、予め定められた転送順序で順次に実行する
請求項１から１６の何れか１項に記載の充電装置。
【請求項１８】
前記通信制御部は、新たな電子機器が充電位置に配置された場合には、前記新たな電子機器と前記コンピュータとの通信を優先して実行させる
請求項１７に記載の充電装置。
【請求項１９】
電子機器を非接触で充電する充電装置により実行されるプログラムであって、
充電位置に配置された電子機器に非接触での電力の供給を制御するステップと、
前記充電装置と電子機器との間に形成される電力伝送経路を介して、前記充電位置に配置された複数の電子機器のそれぞれと通信するステップと、
充電位置に配置された一の電子機器から他の電子機器へとデータを転送するステップと、
を含むプログラム。
【請求項２０】
充電装置に配置されることにより前記充電装置により非接触で充電される電子機器であって、
前記充電装置との間に形成される電力伝送経路を介して前記充電装置により充電される二次電池と、
前記二次電池の電力により動作する回路と、
前記充電装置に配置されている状態において、前記充電装置により充電される他の電子機器へ、前記電力伝送経路を介してデータを送信するデータ送信部と、
を備える電子機器。
【請求項２１】
充電装置に配置されることにより前記充電装置により非接触で充電される電子機器であって、
前記充電装置との間に形成される電力伝送経路を介して前記充電装置により充電される二次電池と、
前記二次電池の電力により動作する回路と、
前記充電装置に配置されている状態において、前記充電装置により充電される他の電子機器から、前記電力伝送経路を介してデータを受信するデータ受信部と、
を備える電子機器。
【発明の詳細な説明】
【技術分野】
【０００１】
本発明は、充電装置、プログラムおよび電子機器に関する。
【背景技術】
【０００２】
電子機器を非接触で充電するシステムが知られている。このようなシステムでは、電子機器が例えば給電用のマットに載置されることにより充電が開始される。
［先行技術文献］
［特許文献］
［特許文献１］特開２００９−２１３２９５号公報
【発明の概要】
【発明が解決しようとする課題】
【０００３】
ところで、２つの電子機器間においてデータのやり取りが行われることがある。しかし、電子機器間においてデータのやり取りを行う場合には、双方が共通に通信可能なインターフェイスを特定して通信を行わなければならなく煩雑であった。
【課題を解決するための手段】
【０００４】
本発明の第１の態様においては、電子機器を非接触で充電する充電装置であって、充電位置に配置された電子機器に非接触で電力を供給する複数の電力供給部と、前記複数の電力供給部のそれぞれと対応する電子機器との間に形成される電力伝送経路を介して、前記充電位置に配置された複数の電子機器のそれぞれと通信する通信制御部と、を備え、前記通信制御部は、充電位置に配置された一の電子機器から他の電子機器へとデータを転送する充電装置を提供する。
【０００５】
本発明の第２の態様においては、電子機器を非接触で充電する充電装置により実行されるプログラムであって、充電位置に配置された電子機器に非接触で電力の供給を制御するステップと、前記充電装置と電子機器との間に形成される電力伝送経路を介して、前記充電位置に配置された複数の電子機器のそれぞれと通信するステップと、充電位置に配置された一の電子機器から他の電子機器へとデータを転送するステップと、を含むプログラムを提供する。
【０００６】
本発明の第３の態様においては、充電装置に配置されることにより前記充電装置により非接触で充電される電子機器であって、前記充電装置との間に形成される電力伝送経路を介して前記充電装置により充電される二次電池と、前記二次電池の電力により動作する回路と、前記充電装置に配置されている状態において、前記充電装置により充電される他の電子機器へ、前記電力伝送経路を介してデータを送信するデータ送信部と、を備える電子機器を提供する。
【０００７】
本発明の第４の態様においては、充電装置に配置されることにより前記充電装置により非接触で充電される電子機器であって、前記充電装置との間に形成される電力伝送経路を介して前記充電装置により充電される二次電池と、前記二次電池の電力により動作する回路と、前記充電装置に配置されている状態において、前記充電装置により充電される他の電子機器から、前記電力伝送経路を介してデータを受信するデータ受信部と、を備える電子機器を提供する。
【０００８】
なお、上記の発明の概要は、本発明の必要な特徴の全てを列挙したものではない。また、これらの特徴群のサブコンビネーションもまた、発明となりうる。
【図面の簡単な説明】
【０００９】
【図１】本実施形態に係る充電システム１０の外観を示す。
【図２】本実施形態に係る充電システム１０の機能構成を示す。
【図３】本実施形態に係る電子機器２０の処理フローを示す。
【図４】本実施形態に係る充電装置３０の処理フローを示す。
【図５】１つの送信側の電子機器２０−１から複数の受信側の電子機器２０−２、２０−３、２０−４へとデータを転送する場合のデータの流れを示す。
【図６】後から受信側の電子機器２０−５が追加して配置された場合のデータの流れを示す。
【図７】複数の電子機器２０のそれぞれを１ずつ順番に送信側として選択する場合の選択順序の一例を示す。
【図８】充電装置３０における複数の充電位置のそれぞれに発光部７０を設けた場合における、充電システム１０の外観を示す。
【図９】充電装置３０における複数の充電位置のそれぞれに表示部７２−１、７２−２、７２−３、７２−４を設けた場合における、表示状態の遷移を示す。
【図１０】コンピュータ８０が充電装置３０に接続された充電システム１０の外観を示す。
【発明を実施するための形態】
【００１０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１１】
図１は、本実施形態に係る充電システム１０の外観を示す。本実施形態に係る充電システム１０は、送信側の電子機器２０−１と、受信側の電子機器２０−２と、充電装置３０とを備える。なお、送信側の電子機器２０−１および受信側の電子機器２０−２は、送信側および受信側を限定せずに説明するときには、電子機器２０と総称する場合もある。
【００１２】
電子機器２０は、携帯型の機器であり、内部の二次電池に蓄積された電力により動作する。電子機器２０は、一例として、携帯型電話機、デジタルカメラおよびタブレット型コンピュータ等である。
【００１３】
充電装置３０は、非接触で電子機器２０に電力を供給する。ここで、非接触とは、金属端子同士を直接接続して導通させない状態のことをいい、機器の筐体等の絶縁材料等を介して機械的に接触している状態でもよい。本実施形態においては、充電装置３０は、コイルを用いた電磁誘導により、電力を電子機器２０に供給する。これに代えて、充電装置３０は、例えば電場・磁場共鳴により電力を供給してもよい。このように非接触で電子機器２０に電力を供給する技術は、例えば、ワイヤレス給電、非接触電力伝達、無接点電力伝送等と呼ばれる。
【００１４】
充電装置３０は、一例として、平板状であり、表面上に電子機器２０が載置された状態で、電子機器２０に電力を供給する。このような充電システム１０によれば、特別な着脱操作を必要とせず、充電装置３０に載置するだけで電子機器２０を充電することができる。
【００１５】
また、充電装置３０は、一例として、公共の場に設置される。充電装置３０は、一例として、店舗、駅および交通機関内等に設置される。これにより、充電システム１０によれば、不特定多数の人が所有する電子機器２０に対して充電をすることができる。
【００１６】
また、充電装置３０は、複数の電子機器２０が載置されると、載置された複数の電子機器２０の間で自動的にデータ転送させる。より具体的には、充電装置３０は、データを送信することが予め設定された送信側の電子機器２０−１から、データを受信することが予め設定された受信側の電子機器２０−２へと、自動的にデータを転送する。
【００１７】
また、充電装置３０は、一例として、不特定多数の人に公開可能なデータであってユーザにより送信を許可されたデータを、送信側の電子機器２０−１から受信側の電子機器２０−２へと転送する。充電装置３０は、一例として、ソーシャルネットワーク上のアドレス、ソーシャルネットワーク等において公開している写真データおよびプロフィール、および、インターネットのホームページのアドレス等のデータを転送する。なお、送信するデータは、どのようなデータであってもよく、例えば、音楽データ、動画像データ、電子機器２０により実行されるアプリケーションプログラムおよび電子機器２０内の制御用のプログラム等であってもよい。
【００１８】
これにより、充電システム１０によれば、充電時において、複数の電子機器２０の間でソーシャルネットワークのアドレス等を転送することができる。これにより、充電システム１０によれば、複数の電子機器２０のそれぞれのユーザが保有するデータを他人に広めてユーザ同志のつながりを増やすことができる。
【００１９】
図２は、本実施形態に係る充電システム１０の機能構成を示す。電子機器２０が充電装置３０上に載置されると、充電装置３０から電子機器２０へと非接触で電力を伝送する電力伝送経路２５が形成される。これにより、充電装置３０は、電子機器２０を充電することができる。本実施形態においては、電力伝送経路２５は、電磁誘導により電力を伝送する経路である。
【００２０】
複数の電子機器２０のそれぞれは、電力受取部３２と、二次電池３４と、充電制御部３６と、機器内回路３８と、プロセッサ４０とを有する。電力受取部３２は、充電装置３０から非接触で電力を受け取る。本実施形態において、電力受取部３２は、コイル４２を有し、充電装置３０の電力供給部５２と協働して電力伝送経路２５を形成する。
【００２１】
二次電池３４は、電力伝送経路２５を介して受け取った電力を蓄積する。二次電池３４に蓄積された電力は、当該電子機器２０内の各回路に供給される。
【００２２】
充電制御部３６は、電力受取部３２が充電装置３０から受け取った電力を二次電池３４に供給して蓄積させる。充電制御部３６は、一例として、電力受取部３２から受け取った交流電圧を整流して直流電圧に変換し、二次電池３４に電力を蓄積させる。
【００２３】
機器内回路３８は、充電装置３０から電力伝送経路２５を介して受け取った電力で動作する。本実施形態においては、機器内回路３８は、二次電池３４に蓄積された電力で動作する。
【００２４】
プロセッサ４０は、機器内回路３８を含む当該電子機器２０内の各回路を制御する。また、プロセッサ４０は、充電装置３０との間で、電力伝送経路２５を介してデータを通信する。本実施形態において、プロセッサ４０は、電力受取部３２のコイル４２に流れる電流を予め定められた方式で変調および復調することにより、充電装置３０内の通信制御部５６との間でデータを通信する。
【００２５】
本実施形態においては、プロセッサ４０は、予め送信許可の設定がされたデータを、電力伝送経路２５を介して充電装置３０へと送信する。また、本実施形態においては、プロセッサ４０は、他の電子機器２０から送信されたデータを電力伝送経路２５を介して充電装置３０から受信する。
【００２６】
充電装置３０は、複数の電力供給部５２と、供給制御部５４と、通信制御部５６と、バッファメモリ５８とを有する。複数の電力供給部５２のそれぞれは、対応する充電位置に配置された電子機器２０に対して非接触で電力を供給する。本実施形態において、電力供給部５２は、コイル６２を有し、対応する充電位置に載置された電子機器２０の電力受取部３２と協働して電力伝送経路２５を形成する。
【００２７】
供給制御部５４は、外部電源から電力を受け取り、複数の電力供給部５２のそれぞれを制御して外部電源から受け取った電力を電力伝送経路２５を介して電子機器２０へと転送させる。供給制御部５４は、一例として、電力供給部５２のコイル６２に流れる電流を変動させて電磁誘導により電力受取部３２のコイル４２に電流を流す。
【００２８】
通信制御部５６は、複数の電力供給部５２のそれぞれと対応する電子機器２０との間に形成される電力伝送経路２５を介して、充電位置に配置された複数の電子機器２０のそれぞれと通信する。本実施形態において、通信制御部５６は、電力供給部５２のコイル６２に流れる電流を予め定められた方式で変調および復調することにより、電子機器２０内のプロセッサ４０との間でデータを通信する。
【００２９】
本実施形態において、通信制御部５６は、送信側の電子機器２０−１から電力伝送経路２５を介して送信されたデータを受け取り、受け取ったデータを受信側の電子機器２０−２へと電力伝送経路２５を介して送信する。即ち、通信制御部５６は、送信側の電子機器２０−１から受信側の電子機器２０−２へとデータを転送する。
【００３０】
バッファメモリ５８は、データを一時的に保存する。本実施形態においては、バッファメモリ５８は、送信側の電子機器２０−１から受信側の電子機器２０−２へと転送されるデータを一時的に保存する。
【００３１】
このような充電システム１０によれば、複数の電子機器２０を充電装置３０上に載置することにより、充電装置３０が複数の電子機器２０を並行して非接触で充電することができる。さらに、充電システム１０によれば、充電装置３０上に載置された複数の電子機器２０の間においてデータを自動的に転送することができる。
【００３２】
図３は、本実施形態に係る電子機器２０の処理フローを示す。まず、送信側の電子機器２０−１のユーザは、他の電子機器２０へと送信するデータを設定する（ステップＳ１１）。ユーザは、一例として、送信するデータをメニューを使って選択する。これにより、送信側の電子機器２０−１は、他の電子機器２０へ送信するデータが予め設定されている状態となる。
【００３３】
また、受信側の電子機器２０−２のユーザは、当該受信側の電子機器２０−２を他の電子機器２０からデータを受信する状態に設定する（ステップＳ２１）。これにより、受信側の電子機器２０−２は、他の電子機器２０からデータを受信することが予め設定されている状態となる。なお、受信側の電子機器２０−２は、通常状態では他の電子機器２０からデータを受信する状態となっており、ユーザがメニュー等を用いて操作をすることにより、データを受信することを禁止する状態となってもよい。
【００３４】
また、受信側の電子機器２０−２のユーザは、他の電子機器２０から受信するデータの種類を設定してもよい。ユーザは、一例として、受信するデータの種類をメニューを使って選択する。これにより、受信側の電子機器２０−２は、他の電子機器２０から受信するデータの種類が予め設定されている状態となる。
【００３５】
例えば、受信側の電子機器２０−２のユーザは、アドレスデータを受信するが、画像データを受信しないといったような設定をする。これにより、受信側の電子機器２０−２は、ユーザが取得を希望する種類のデータのみを他の電子機器２０から取得することができる。例えば受信側の電子機器２０−２がネットワークに接続できない機器（例えばデジタルカメラ）である場合において、画像データを受信するが、アドレスデータを受信しない設定とすることができる。
【００３６】
続いて、送信側の電子機器２０−１のユーザは、充電装置３０上の予め定められた充電位置に送信側の電子機器２０−１を配置する（ステップＳ１２）。同様に、受信側の電子機器２０−２のユーザは、充電装置３０上の予め定められた他の充電位置に受信側の電子機器２０−２を配置する（ステップＳ２２）。
【００３７】
充電装置３０の通信制御部５６は、送信側の電子機器２０−１および受信側の電子機器２０−２のそれぞれが充電位置に配置されると、送信側の電子機器２０−１において予め設定されているデータのうち受信側の電子機器２０−２において予め設定されている種類のデータを、送信側の電子機器２０−１から受信側の電子機器２０−２へと転送する（ステップＳ３０）。これにより、充電装置３０は、送信側の電子機器２０−１のデータを受信側の電子機器２０−２へと自動的に転送することができる。
【００３８】
なお、充電装置３０の通信制御部５６は、送信側の電子機器２０−１において予め設定されているデータと受信側の電子機器２０−２が既に受信しているデータとを照合して、受信側の電子機器２０−２に未だ転送していないデータを検出する。例えば、通信制御部５６は、ファイル名、データサイズおよび更新日等を照合して、送信側の電子機器２０−１において予め設定されているデータのうち、受信側の電子機器２０−２に転送していないデータを検出する。そして、充電装置３０の通信制御部５６は、受信側の電子機器２０−２が未だ受信していないデータを送信側の電子機器２０−１から受信側の電子機器２０−２へと転送してもよい。これにより、充電装置３０は、転送済みのデータを繰り返して転送することを無くすことができる。
【００３９】
また、電子機器２０は、データを送信する設定およびデータを受信する設定の両方が同時に設定されていてもよい。この場合、電子機器２０は、充電装置３０上の充電位置に配置されると、他の電子機器２０へデータを送信する処理、および、他の電子機器２０からデータを受信する処理を、それぞれ別個に実行する。
【００４０】
そして、充電装置３０は、転送が完了すると、送信側の電子機器２０−１および受信側の電子機器２０−２のそれぞれを充電する。これにより、充電装置３０は、充電位置に配置された複数の電子機器２０を充電することができる。
【００４１】
図４は、本実施形態に係る充電装置３０の処理フローを示す。充電装置３０では、電子機器２０が充電位置に新たに配置される毎に、以下のステップＳ４１からステップＳ４８の処理を実行する。
【００４２】
まず、充電装置３０は、自身の転送設定が許可となっているかを判断する（ステップＳ４１）。充電装置３０は、一例として、複数の電子機器２０間のデータの転送を許可するか否かを設定するためのスイッチが設けられている。充電装置３０は、転送を許可する設定となっていない場合（ステップＳ４１のＮｏ）、当該フローを終了する。充電装置３０は、転送を許可する設定となっている場合（ステップＳ４１のＹｅｓ）、処理をステップＳ４２に進める。
【００４３】
続いて、充電装置３０は、新たに配置された電子機器２０に転送設定がされているか否かを判断する（ステップＳ４２）。即ち、充電装置３０は、新たに配置された電子機器２０に送信するべきデータが設定されているかまたはデータを受信する設定がされているかを判断する。充電装置３０は、新たに配置された電子機器２０に転送設定がされていない場合（ステップＳ４２のＮｏ）、当該フローを終了する。充電装置３０は、新たに配置された電子機器２０に転送設定がされている場合（ステップＳ４２のＹｅｓ）、処理をステップＳ４３に進める。
【００４４】
続いて、充電装置３０は、当該充電装置３０上に、転送設定がされた他の電子機器２０が配置済みか否かを判断する（ステップＳ４３）。転送設定がされた他の電子機器２０が配置済みではない場合（ステップＳ４３のＮｏ）、当該フローを終了する。充電装置３０は、転送設定がされた他の電子機器２０が配置済みである場合（ステップＳ４３のＹｅｓ）、処理をステップＳ４４に進める。
【００４５】
続いて、充電装置３０は、新たに配置された電子機器２０のデータ転送相手となる他の電子機器２０を決定する。これとともに、充電装置３０は、新たに配置された電子機器２０が受信側となるのか送信側となるのかを決定する（ステップＳ４４）。
【００４６】
続いて、充電装置３０の通信制御部５６は、送信側の電子機器２０からデータを受信する（ステップＳ４５）。続いて、充電装置３０の通信制御部５６は、受信したデータをバッファメモリ５８に記憶させる（ステップＳ４６）。続いて、充電装置３０の通信制御部５６は、バッファメモリ５８に記憶されたデータを読み出して受信側の電子機器２０に送信する（ステップＳ４７）。
【００４７】
続いて、充電装置３０は、新たに配置された電子機器２０との間でデータ転送が可能な全ての電子機器２０について、データの転送が終了したか否かを判断する（ステップＳ４８）。充電装置３０は、新たに配置された電子機器２０との間でデータ転送が可能な全ての電子機器２０について、データの転送が終了した場合（ステップＳ４８のＹｅｓ）、当該フローを終了する。
【００４８】
また、充電装置３０は、まだ終了していない場合（ステップＳ４８のＮｏ）、処理をステップＳ４４に戻す。そして、充電装置３０は、ステップＳ４４において、再度データ通信相手およびデータの転送方向を決定して、ステップＳ４５からステップＳ４７の処理を繰り返す。
【００４９】
以上により、充電装置３０は、電子機器２０が充電位置に新たに配置された場合、当該電子機器２０から既に配置済みの他の電子機器２０へとデータを転送し、既に配置済みの他の電子機器２０から当該電子機器２０へとデータを転送することができる。
【００５０】
図５は、１つの送信側の電子機器２０−１から複数の受信側の電子機器２０−２、２０−３、２０−４へとデータを転送する場合のデータの流れを示す。充電装置３０は、１つの送信側の電子機器２０−１から複数の受信側の電子機器２０−２、２０−３、２０−４のそれぞれへと同一のデータを転送してもよい。この場合、充電装置３０の通信制御部５６は、送信側の電子機器２０−１から受信したデータをバッファメモリ５８に一旦記憶させる。続いて、充電装置３０の通信制御部５６は、バッファメモリ５８に記憶されたデータを複数回読み出して、複数の受信側の電子機器２０−２、２０−３、２０−４のそれぞれに送信する。
【００５１】
そして、充電装置３０の通信制御部５６は、全ての受信側の電子機器２０−２、２０−３、２０−４へのデータの転送を完了すると、バッファメモリ５８内のデータを消去する。これにより、充電装置３０は、送信側の電子機器２０−１からバッファメモリ５８へのデータ転送回数を１回のみとすることができるので、データ転送回数を少なくすることができる。
【００５２】
また、送信側の電子機器２０−１からバッファメモリ５８へデータの転送を完了した後、受信側の電子機器２０−２、２０−３、２０−４の全てがバッファメモリ５８からデータの受信を完了するまでの期間中において、充電装置３０は、送信側の電子機器２０−１との間で何らかの処理を実行してもよい。例えば、充電装置３０は、この期間中において、送信側の電子機器２０−１に電力を供給して充電してもよい。また、充電装置３０は、この期間中において、送信側の電子機器２０−１から他のデータを受信してもよいし、バッファメモリ５８に記憶された他のデータを送信側の電子機器２０−１へと転送してもよい。
【００５３】
図６は、後から受信側の電子機器２０−５が追加して配置された場合のデータの流れを示す。また、充電装置３０の通信制御部５６は、送信側の電子機器２０−１が当該充電装置３０上に配置され続けている場合、バッファメモリ５８内のデータを消去しなくてもよい。
【００５４】
この場合、充電装置３０の通信制御部５６は、後から受信側の電子機器２０−５が追加して配置された場合には、送信側の電子機器２０−１からバッファメモリ５８へとデータを転送せずに、バッファメモリ５８内のデータを読み出して後から追加して配置された受信側の電子機器２０−５へとデータを転送する。これにより、充電装置３０は、送信側の電子機器２０−１からバッファメモリ５８へのデータ転送を無くすことができる。
【００５５】
なお、この場合において、充電装置３０の通信制御部５６は、送信側の電子機器２０−１が充電位置から取り外されたことに応じて、バッファメモリ５８に記憶された対応するデータを消去する。これにより、充電装置３０は、送信側の電子機器２０−１のセキュリティを保持することができる。
【００５６】
また、この場合において、充電装置３０の通信制御部５６は、送信側の電子機器２０−１が充電位置から取り外されてから予め定められた時間を経過した後、バッファメモリ５８に記憶された対応するデータを消去してもよい。これにより、他の電子機器２０へとデータを送信する機会を多くできるとともに、送信側の電子機器２０−１のセキュリティも保持することができる。
【００５７】
図７は、複数の電子機器２０のそれぞれを１ずつ順番に送信側として選択する場合の選択順序の一例を示す。充電装置３０の充電位置に複数の電子機器２０が配置された場合、充電装置３０の通信制御部５６は、送信するデータが設定された複数の電子機器２０を１つずつ順次に送信側の電子機器２０として選択し、選択した送信側の電子機器２０から受信側の電子機器２０へとデータを転送する。
【００５８】
充電装置３０の通信制御部５６は、一例として、図７に示されるように、４つの電子機器２０−１〜２０−４が充電装置３０上に載置された場合、４つの電子機器２０−１〜２０−４を１ずつ順番に選択する。そして、通信制御部５６は、選択した１つの電子機器２０から、選択していない他の３つの電子機器２０のそれぞれへとデータを送信する。
【００５９】
この場合において、充電装置３０の通信制御部５６は、充電位置に配置された時刻順に１ずつ送信側の電子機器２０を選択する。これにより、充電装置３０は、先に配置された電子機器２０から先にデータを送信させることができる。
【００６０】
また、充電装置３０の通信制御部５６は、充電完了までの時間が短い順に１ずつ送信側の電子機器を選択してもよい。これにより、充電装置３０は、充電が完了した後にはデータの送受信ができない方式を用いてデータの転送がされる場合であっても、充電完了前にデータの転送を完了させることができる。
【００６１】
また、複数の電子機器２０が充電装置３０に配置された場合、充電装置３０の通信制御部５６は、先ずアドレスデータ等の容量の小さいデータを複数の電子機器２０のそれぞれから他の電子機器２０へと送信し、続いて、画像データ等の比較的に大きなデータを複数の電子機器２０のそれぞれから他の電子機器２０へと送信してもよい。これにより、充電装置３０は、より確実に転送できるデータから先にデータの転送をすることができる。
【００６２】
また、複数の電子機器２０が充電装置３０に配置された場合、充電装置３０の通信制御部５６は、複数の電子機器２０を１ずつ巡回的に選択して、一定容量毎にデータを他の電子機器２０へと送信させてもよい。これにより、充電装置３０は、一の電子機器２０が大量のデータを送信してしまい、他の電子機器２０がデータを送信できない状態を回避することができる。
【００６３】
また、複数の電子機器２０が充電装置３０に配置された場合、充電装置３０の通信制御部５６は、複数の電子機器２０のそれぞれからデータを受信して、全て一旦バッファメモリ５８に記憶させる。そして、充電装置３０の通信制御部５６は、バッファメモリ５８に記憶されている複数の電子機器２０のデータを読み出して、複数の電子機器２０のそれぞれへと送信してもよい。
【００６４】
図８は、充電装置３０における複数の充電位置のそれぞれに発光部７０を設けた場合における、充電システム１０の外観を示す。充電装置３０は、一例として、電子機器２０が配置される複数の充電位置のそれぞれに優先順位が予め設定されている。
【００６５】
充電装置３０は、一例として、図８に示されるように、４つの充電位置に対して、１位、２位、３位および４位の優先順位が予め設定されており、対応する充電位置に優先順位を示す番号６６−１〜６６−４が記述されている。
【００６６】
この場合、充電装置３０の通信制御部５６は、優先順位がより高い充電位置に配置された電子機器２０から順に１ずつ送信側の電子機器２０を選択する。これにより、充電装置３０は、自分の電子機器２０がデータを送信できる順位をユーザに認識させることができる。
【００６７】
なお、この場合において、一の電子機器２０がデータを送信中において他の電子機器２０が充電位置に新たに配置されたときには、充電装置３０の通信制御部５６は、新たに配置された電子機器２０をまず受信側に設定する。そして、一の電子機器２０のデータの送信が完了した後において、充電装置３０の通信制御部５６は、新たに配置された電子機器２０を含めて、データを未送信の複数の電子機器２０中から優先順位の高い１つの電子機器２０を送信側として選択する。
【００６８】
また、充電装置３０は、複数の充電位置のそれぞれに対応して複数の発光部７０を更に備えてもよい。この場合、充電装置３０の通信制御部５６は、複数の発光部７０のうちデータを送信している電子機器２０に対応する発光部７０を第１種類の発光方法で発光させる。例えば、通信制御部５６は、データを送信する電子機器２０に対応する発光部７０を、予め定められた第１の色で発光させる。これにより、充電装置３０は、ユーザにデータ送信中の電子機器２０を知らせることができる。
【００６９】
また、充電装置３０の通信制御部５６は、複数の発光部７０のうちデータを送信済みの電子機器２０に対応する発光部７０を第２種類の発光方法で発光させる。例えば、通信制御部５６は、データを送信する電子機器２０に対応する発光部７０を、予め定められた第２の色で発光させる。これにより、充電装置３０は、ユーザにデータ送信済みの電子機器２０を知らせることができる。
【００７０】
また、充電装置３０の通信制御部５６は、データの受信中の電子機器２０に対応する発光部７０およびデータの受信済みの電子機器２０に対応する発光部７０を更に区別できるようにそれぞれ異なる発光方法で発光させてもよい。これにより、充電装置３０は、ユーザにデータの受信中の電子機器２０およびデータの受信済みの電子機器２０を知らせることができる。
【００７１】
図９は、充電装置３０における複数の充電位置のそれぞれに表示部７２−１、７２−２、７２−３、７２−４を設けた場合における、表示状態の遷移を示す。
【００７２】
充電装置３０は、一例として、電子機器２０が配置される複数の充電位置のそれぞれに対応して、複数の表示部７２−１、７２−２、７２−３、７２−４を備えてもよい。複数の表示部７２−１、７２−２、７２−３、７２−４のそれぞれは、対応する電子機器２０がデータを送信している場合には送信中を示す表示（例えば「送信中」）をし、データを受信している場合には受信中を示すという表示（例えば「受信中」）をする。また、複数の表示部７２−１、７２−２、７２−３、７２−４のそれぞれは、対応する電子機器２０がデータを受信済みの場合には受信済みを示すという表示（例えば「受信済」）をし、データの受信を待機している場合には受信の待機中を示す表示（例えば「受信待」）をする。
【００７３】
ここで、図９の例においては、優先順位が第１位の充電位置に第１の電子機器２０−１が配置され、第２位の充電位置に第２の電子機器２０−２が配置され、第３位の充電位置に第３の電子機器２０−３が配置され、第４位の充電位置に第４の電子機器２０−４が配置される。また、図９の例においては、第１位の充電位置に対応して第１の表示部７２−１が設けられ、第２位の充電位置に対応して第２の表示部７２−２が設けられ、第３位の充電位置に対応して第３の表示部７２−３が設けられ、第４位の充電位置に対応して第４の表示部７２−４が設けられる。
【００７４】
まず、図９の（Ａ）では、充電装置３０は、第１の電子機器２０−１から第２の電子機器２０−２へとデータを転送する。この状態において、第１の表示部７２−１は「送信中」、第２の表示部７２−２は「受信中」、第３の表示部７２−３は「受信待」、第４の表示部７２−４は「受信待」という表示をする。
【００７５】
続いて、図９の（Ａ）の状態から図９の（Ｂ）の状態へと遷移する。図９の（Ｂ）では、充電装置３０は、第１の電子機器２０−１から第３の電子機器２０−３へとデータを転送する。この状態において、第１の表示部７２−１は「送信中」、第２の表示部７２−２は「受信済」、第３の表示部７２−３は「受信中」、第４の表示部７２−４は「受信待」という表示をする。
【００７６】
続いて、図９の（Ｂ）の状態から図９の（Ｃ）の状態へと遷移する。図９の（Ｃ）では、充電装置３０は、第１の電子機器２０−１から第４の電子機器２０−４へとデータを転送する。この状態において、第１の表示部７２−１は「送信中」、第２の表示部７２−２は「受信済」、第３の表示部７２−３は「受信済」、第４の表示部７２−４は「受信中」という表示をする。
【００７７】
続いて、図９の（Ｃ）の状態から図９の（Ｄ）の状態へと遷移する。図９の（Ｄ）では、充電装置３０は、第２の電子機器２０−２から第１の電子機器２０−１へとデータを転送する。この状態において、第１の表示部７２−１は「受信中」、第２の表示部７２−２は「送信中」、第３の表示部７２−３は「受信待」、第４の表示部７２−４は「受信待」という表示をする。なお、この場合、第１の表示部７２−１は、既にデータを送信済みなので、「送信済」という表示を併せて行ってもよい。
【００７８】
続いて、図９の（Ｄ）の状態から図９の（Ｅ）の状態へと遷移する。図９の（Ｅ）では、充電装置３０は、第２の電子機器２０−２から第３の電子機器２０−３へとデータを転送する。この状態において、第１の表示部７２−１は「受信済」、第２の表示部７２−２は「送信中」、第３の表示部７２−３は「受信中」、第４の表示部７２−４は「受信待」という表示をする。なお、この場合も、第１の表示部７２−１は、既にデータを送信済みなので、「送信済」という表示を併せて行ってもよい。
【００７９】
充電装置３０は、以上のような表示を行うことにより、ユーザに対して、各電子機器２０のデータの送受信の状態を知らせることができる。さらに、充電装置３０は、各電子機器２０の状態の遷移もユーザに知らせることができる。
【００８０】
図１０は、コンピュータ８０が充電装置３０に接続された充電システム１０の外観を示す。また、充電装置３０は、コンピュータ８０に接続して用いられてもよい。この場合、充電装置３０の通信制御部５６は、コンピュータ８０と、充電位置に配置された複数の電子機器２０のそれぞれとの間の通信を制御する。これにより、コンピュータ８０は、充電装置３０上の充電位置に配置された電子機器２０との間でデータの送受信をすることができる。
【００８１】
また、充電装置３０の通信制御部５６は、新たな電子機器２０が充電位置に配置された場合において、新たな電子機器２０とコンピュータとの間の通信、および、新たな電子機器２０と他の電子機器２０との間のデータ転送を、予め定められた転送順序で順次に実行する。この場合、通信制御部５６は、一例として、新たな電子機器２０が充電位置に配置された場合には、新たな電子機器２０とコンピュータとの通信を優先して実行させる。これにより、コンピュータ８０が電子機器２０と通信をする場合に、電子機器２０に早急にアクセスすることができる。
【００８２】
また、充電装置３０の通信制御部５６は、コンピュータ８０から付加情報を受信して記憶してもよい。そして、充電装置３０の通信制御部５６は、送信側の電子機器２０−１から受信側の電子機器２０−２へとデータを転送する場合において、送信側の電子機器２０−１から送信されるデータに付加情報を追加して受信側の電子機器２０−２へと転送してもよい。これにより、充電装置３０は、当該充電装置３０が設置されている店舗等の広告等をユーザに通知することができる。
【００８３】
また、この場合において、充電装置３０の通信制御部５６は、送信側の電子機器２０−１から受信側の電子機器２０−２へと転送されるデータに応じて、付加情報を変更してもよい。充電装置３０の通信制御部５６は、一例として、転送されるデータのデータ種類（例えば、アドレスデータ、画像データまたは音楽データ等の種類）およびデータ量等に応じて、付加情報の種類を変更したり、付加情報のデータ量を変更したりする。例えば、充電装置３０の通信制御部５６は、付加情報として画像データを追加する場合において、転送されるデータが基準容量以下のデータであれば、画像のサムネイルデータを付加し、転送されるデータが基準容量より大きいデータであれば、動画像データを付加する。これにより、充電装置３０は、転送されるデータの種類およびデータ量等に応じた適切な付加情報を追加することができる。
【００８４】
また、更に、充電装置３０の通信制御部５６は、送信側の電子機器２０−１または受信側の電子機器２０−２の設定に応じて、付加情報を変更してもよい。充電装置３０の通信制御部５６は、一例として、受信側の電子機器２０−２が画像データの受信を禁止している場合、画像データ以外のデータを付加情報として追加する。また、充電装置３０の通信制御部５６は、一例として、送信側の電子機器２０−１または受信側の電子機器２０−２が転送するデータの容量の上限を制限している場合には、転送するデータおよび付加情報の合計値が上限を超えないよう、付加情報のデータ量を変更する。これにより、充電装置３０は、信側の電子機器２０−１または受信側の電子機器２０−２の設定に適した付加情報を追加することができる。
【００８５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００８６】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００８７】
１０  充電システム、２０  電子機器、３０  充電装置、２５  電力伝送経路、３２  電力受取部、３４  二次電池、３６  充電制御部、３８  機器内回路、４０  プロセッサ、４２  コイル、５２  電力供給部、５４  供給制御部、５６  通信制御部、５８  バッファメモリ、６２  コイル、６６  番号、７０  発光部、７２  表示部、８０  コンピュータ
【図１】
2013055811.tif 000003
【図２】
2013055811.tif 000004
【図３】
2013055811.tif 000005
【図４】
2013055811.tif 000006
【図５】
2013055811.tif 000007
【図６】
2013055811.tif 000008
【図７】
2013055811.tif 000009
【図８】
2013055811.tif 000010
【図９】
2013055811.tif 000011
【図１０】
2013055811.tif 000012